(57)【特許請求の範囲】
【請求項１】
表示パネルと、前記表示パネルを収納した筐体とを有し、前記筐体に、前記表示パネルの画面が現れる窓部と前記窓部を囲む枠部とが形成されている表示装置において、
前記枠部は、前記窓部の上側に位置する上側枠部と、前記窓部の下側に位置する下側枠部と、前記窓部の左右両側に位置する右側枠部ならびに左側枠部とを有しており、
前記上側枠部の一箇所に上側支持突起が、前記右側枠部の一箇所に右側支持突起が、前記左側枠部の一箇所に左側支持突起がそれぞれ設けられて、前記表示パネルの前部が前記上側支持突起と前記右側支持突起ならびに前記左側支持突起のそれぞれの頂部に当接し、前記筐体の内部に設けられた背部弾性部材によって前記表示パネルの背部が前方に押され、前記前部が前記上側支持突起と前記右側支持突起および前記左側支持突起に押し付けられて３点で支持されており、
前記右側支持突起と前記左側支持突起が、前記枠部の下端よりも上方に離れた位置で且つ前記窓部の側方に位置していることを特徴とする表示装置。
【請求項２】
前記筐体の内部には、前記表示パネルの底部に当接する一対の底部支持突起と、前記表示パネルの上部を下側に付勢して前記底部をそれぞれの前記底部支持突起に押し付ける上部弾性部材が設けられており、
それぞれの前記底部支持突起が、前記右側支持突起と前記左側支持突起の下方に位置し、右側の前記底部支持突起の頂部と前記右側支持突起の頂部とを結ぶ仮想線、ならびに左側の前記底部支持突起の頂部と前記左側支持突起の頂部とを結ぶ仮想線が、それぞれ前記枠部から外れない位置に設定されている請求項１記載の表示装置。
【請求項３】
前記筐体の内部には、前記表示パネルの一方の側部に当接する側部支持突起と、前記表示パネルの他方の側部を付勢して一方の前記側部を前記側部支持突起に押し付ける側部弾性部材が設けられている請求項１または２記載の表示装置。
【請求項４】
前記側部支持突起が、前記右側支持突起と前記左側支持突起とを結ぶ横方向仮想線上に位置している請求項３記載の表示装置。
【請求項５】
前記上側支持突起と前記右側支持突起ならびに前記左側支持突起のそれぞれの頂部を結んだ仮想三角形の重心が、前記表示パネルの前部の四角形の重心に一致している請求項１ないし４のいずれかに記載の表示装置。
【請求項６】
前記表示パネルは金属製の枠形成部材を有し、前記枠形成部材は、画面の周囲を囲む前方枠面を有しており、前記上側支持突起と前記右側支持突起ならびに前記左側支持突起が、前記前方枠面に当接している請求項１ないし５のいずれかに記載の表示装置。
【請求項７】
前記表示パネルは金属製の枠形成部材を有し、前記枠形成部材が、画面の周囲を囲む前方枠面と表示パネルの側部を覆う側板とを有しており、前記底部支持突起が、前記側板に当接している請求項２記載の表示装置。
【請求項８】
前記表示パネルは金属製の枠形成部材を有し、前記枠形成部材が、画面の周囲を囲む前方枠面と表示パネルの側部を覆う側板とを有しており、前記側部支持突起が、前記側板に当接している請求項３または４記載の表示装置。
【発明の詳細な説明】
【技術分野】
【０００１】
本発明は、液晶表示パネルなどの表示パネルが、筐体の内部に保持された表示装置に関する。
【背景技術】
【０００２】
車載用表示装置などとして使用される表示装置は、金属製の筐体の内部に液晶表示パネルなどの表示パネルが収納されており、前記筐体の外側に化粧パネルが設けられている。
【０００３】
この種の表示装置では、筐体の内部に表示パネルが容易に動くことなく確実に保持されることが必要であるが、さらに表示パネルが過大な応力を受けることなく保持されることが必要である。表示パネルに過大な応力が与えられると、画面が歪み、液晶表示パネルの場合には、一対の電極基板の間に封入された液晶層の配向に歪みが生じて表示品質が著しく劣化することになる。
【０００４】
以下の特許文献１の図３、図４、図５に記載された液晶装置は、枠体部材と、この枠体部材に収納されたスペーサの一方に突起が形成され、他方に弾性部材が設けられて、液晶パネルを構成している電極基板が、前記突起と弾性部材とで挟持されて保持されている。この液晶装置は、電極基板の上縁部の中央の１点（Ｑ１）と、電極基板の下縁部と両側縁部との交点である角部の２点（Ｑ２，Ｑ３）の合計３箇所を前記突起に当接させることで、液晶パネルに作用する応力を低減させようとしている。
【先行技術文献】
【特許文献】
【０００５】
【特許文献１】特開平９−７３０７１号公報
【発明の概要】
【発明が解決しようとする課題】
【０００６】
液晶装置は、液晶パネルを枠体部材に組み込む際に、前記突起と当接している部分で電極基板に力が与えられ、また、組立て後の温度変化による熱膨張係数の差によっても、突起と当接している部分で電極基板に力が与えられ、この力で、電極基板に曲げ力や捩り力が与えられやすい。
【０００７】
特許文献１に記載された液晶装置では、電極基板の下縁部と両側縁部との交点である角部の２点（Ｑ２，Ｑ３）が前記突起に当接して保持されている。電極基板に曲げ力や捩り力が与えられたときに、基板の変位量が角部において最大になるため、角部の点Ｑ２，Ｑ３が突起で拘束されていると、枠体部材と液晶パネルとの間の相対的な変形が、突起を介して電極基板の角部に集中して過大に作用することになり、電極基板に大きな歪みが発生しやすくなる。
【０００８】
また、特許文献１に記載された液晶装置は、液晶パネルの電極基板が、突起と弾性部材とで挟持されている構造であるため、枠体部材に作用する外力が直接に液晶パネルの電極基板に作用することになり、電極基板に挟まれた液晶層に歪みが作用しやすくなっている。
【０００９】
本発明は上記従来の課題を解決するものであり、筐体内で表示パネルを確実に保持でき、しかも表示パネルに過大な応力が作用しにくい表示装置を提供することを目的としている。
【００１０】
また本発明は、筐体から表示パネルの電極基板に直接に応力が伝達されることがなく、表示パネルの変形を防止しやすい構造の表示装置を提供することを目的としている。
【課題を解決するための手段】
【００１１】
本発明は、表示パネルと、前記表示パネルを収納した筐体とを有し、前記筐体に、前記表示パネルの画面が現れる窓部と前記窓部を囲む枠部とが形成されている表示装置において、
前記枠部は、前記窓部の上側に位置する上側枠部と、前記窓部の下側に位置する下側枠部と、前記窓部の左右両側に位置する右側枠部ならびに左側枠部とを有しており、
前記上側枠部の一箇所に上側支持突起が、前記右側枠部の一箇所に右側支持突起が、前記左側枠部の一箇所に左側支持突起がそれぞれ設けられて、前記表示パネルの前部が前記上側支持突起と前記右側支持突起ならびに前記左側支持突起のそれぞれの頂部に当接し、前記筐体の内部に設けられた背部弾性部材によって前記表示パネルの背部が前方に押され、前記前部が前記上側支持突起と前記右側支持突起および前記左側支持突起に押し付けられて３点で支持されており、
前記右側支持突起と前記左側支持突起が、前記枠部の下端よりも上方に離れた位置で且つ前記窓部の側方に位置していることを特徴とするものである。
【００１２】
本発明の表示装置は、筐体の内部で表示パネルの前部が３点で支持されているため、表示パネルを安定した状態で保持することができる。表示パネルの下側を支持する２点の突起は、表示パネルの下側の角部を避けて、角部よりも上方に当接しているため、筐体から表示パネルに応力が与えられたときに、表示パネルの角部を比較的自由な状態にでき、表示パネルに過大な応力が作用するのを防止できるようになる。また、上側支持突起と右側支持突起ならびに左側支持突起のそれぞれの頂部を結んだ仮想三角形の重心を、前記表示パネルの前部の四角形の重心に接近させることができるため、上側支持突起と右側支持突起ならびに左側支持突起とで表示パネルを支持する力を均等に分散させることができ、これによっても、表示パネルに曲げ応力や捩り応力が作用しにくくなる。
【００１３】
本発明は、前記筐体の内部には、前記表示パネルの底部に当接する一対の底部支持突起と、前記表示パネルの上部を下側に付勢して前記底部をそれぞれの前記底部支持突起に押し付ける上部弾性部材が設けられており、
それぞれの前記底部支持突起が、前記右側支持突起と前記左側支持突起の下方に位置し、右側の前記底部支持突起の頂部と前記右側支持突起の頂部とを結ぶ仮想線、ならびに左側の前記底部支持突起の頂部と前記左側支持突起の頂部とを結ぶ仮想線が、それぞれ前記枠部から外れない位置に設定されているものである。
【００１４】
上記表示装置では、表示パネルの底部が支持されているため、上下のがたつきを防止でき、しかも底部の２箇所が底部支持突起で支持されているため、上下の保持構造によって表示パネルが過剰に拘束されるのを防止でき、表示パネルに作用する応力を低減できる。また、底部支持突起は、枠部から外れない範囲で、右側支持突起と左側支持突起の下側に位置しているため、表示パネルと支持突起との当接点が広い範囲に分散するのを防止でき、表示パネルを安定させ、且つ表示パネルに過大な応力が作用するのを防止しやすくなる。
【００１５】
本発明は、前記筐体の内部には、前記表示パネルの一方の側部に当接する側部支持突起と、前記表示パネルの他方の側部を付勢して一方の前記側部を前記側部支持突起に押し付ける側部弾性部材が設けられている。
【００１６】
この場合に、前記側部支持突起が、前記右側支持突起と前記左側支持突起とを結ぶ横方向仮想線上に位置していることが好ましい。
【００１７】
上記表示装置では、表示パネルの両側部が支持されているため、左右のがたつきを防止でき、しかも側部の１箇所のみが側部支持突起と当接している。左右の保持構造によって表示パネルが過剰に拘束されるのを防止でき、表示パネルに作用する応力を軽減できる。また、側部支持突起と側部弾性部材の中心を結ぶ横方向仮想線が、右側支持突起と左側支持突起の上に位置しているため、表示パネルと支持突起との当接点が広い範囲に分散するのを防止でき、表示パネルを安定させ、且つ表示パネルに過大な応力が作用するのを防止しやすくなる。
【００１８】
本発明は、前記上側支持突起と前記右側支持突起ならびに前記左側支持突起のそれぞれの頂部を結んだ仮想三角形の重心が、前記表示パネルの前部の四角形の重心に一致していることが好ましい。
【００１９】
さらに、本発明は、前記表示パネルは金属製の枠形成部材を有し、前記枠形成部材は、画面の周囲を囲む前方枠面を有しており、前記上側支持突起と前記右側支持突起ならびに前記左側支持突起が、前記前方枠面に当接しているものである。
【００２０】
また、前記表示パネルは金属製の枠形成部材を有し、前記枠形成部材が、画面の周囲を囲む前方枠面と表示パネルの側部を覆う側板とを有しており、前記底部支持突起が、前記側板に当接しているものとすることができる。
【００２１】
さらに、前記表示パネルは金属製の枠形成部材を有し、前記枠形成部材が、画面の周囲を囲む前方枠面と表示パネルの側部を覆う側板とを有しており、前記側部支持突起が、前記側板に当接しているものとすることが可能である。
【００２２】
上記のように、表示パネルに金属製の枠形成部材を設け、前記枠形成部材を支持突起で支持することにより、支持突起による支持力が表示パネルの電極基板などに直接に作用しにくくなり、表示パネルの表示部に変形力が作用しにくくなる。
【発明の効果】
【００２３】
本発明の表示装置は、筐体の内部で表示パネルの前部が３点で支持されているため、表示パネルを安定した状態で保持することができる。
【００２４】
表示パネルの下側を支持する２点の突起は、表示パネルの下側の角部を避けて、角部よりも上方に当接しているため、筐体から表示パネルに応力が与えられたときに、表示パネルの角部を比較的自由な状態にでき、表示パネルに過大な応力が作用するのを防止できるようになる。この構成では、上側支持突起と右側支持突起ならびに左側支持突起のそれぞれの頂部を結んだ仮想三角形の重心を、前記表示パネルの前部の四角形の重心に接近させることができるため、上側支持突起と右側支持突起ならびに左側支持突起とで表示パネルを支持する力を均等に分散させることができ、これによっても、表示パネルに曲げ応力や捩り応力が作用しにくくなる。
【００２５】
さらに、表示パネルに金属製の枠形成部材を設け、前記枠形成部材を支持突起で支持することにより、支持突起による支持力が表示パネルの電極基板などに直接に作用しにくくなり、表示パネルの表示部に変形力が作用しにくくなる。
【図面の簡単な説明】
【００２６】
【図１】本発明の実施の形態の表示装置の斜視図、
【図２】表示装置の正面図、
【図３】図２におけるＩＩＩ−ＩＩＩ線矢視の断面図、
【図４】図２におけるＩＶ−ＩＶ線矢視の断面図、
【図５】図１におけるＶ−Ｖ線矢視の部分断面図、
【図６】図２におけるＶＩ−ＶＩ線矢視の断面図、
【発明を実施するための形態】
【００２７】
図１に示す本発明の実施の形態の表示装置１は、筐体を有している。筐体は前部筐体２と後部筐体３に別れており、両筐体２，３は共に金属板を折り曲げることで形成されている。前部筐体２と後部筐体３の内部に表示パネル１０が収納された状態で、前部筐体２と後部筐体３とが互いに固定されている。
【００２８】
図４と図６に示すように、前記表示パネル１０は、パネル本体１１を有している。パネル本体１１は、金属製のパネルケース１２と、このパネルケース１２に保持された液晶表示装置１３とを有している。液晶表示装置１３には、透光性の一対の電極基板、電極基板に挟まれた液晶層、カラーフィルタ、配向層、偏光層などが含まれ、さらに液晶層を透過する照明光を与えるバックライト機構が設けられている。
【００２９】
図４と図６には、液晶表示装置１３の前面に位置する透明基板１３ａが現れている。この透明基板１３ａは例えば偏光板である。
【００３０】
表示パネル１０は、前記液晶表示装置１３の前方にタッチパネル１４を有している。タッチパネル１４は、複数枚の透光性の電極基板または１枚の透光性の電極基板を有している。タッチパネル１４の前方に透光性のカバーパネル１５が設けられている。カバーパネル１５の表面に指が触れると、電極基板に形成された電極と指との間に静電容量が形成され、表示画面で指が触れた位置が検知される。または、タッチパネル１４は、透光性の抵抗体層を有する２枚の電極基板が対向し、表側の電極基板とカバーパネル１５とが可撓性であり、カバーパネル１５に指が触れると、対向する抵抗体層どうしが接触して、表示画面のどの位置に指が触れたかが検知されるものであってもよい。
【００３１】
図４と図６に示すように、表示パネル１０は、枠形成部材１６を有している。枠形成部材１６は金属板を折り曲げて形成されている。枠形成部材１６は前方枠面１６ａを有している。前方枠面１６ａは、窓縁部１６ｂを有している。窓縁部１６ｂで囲まれた領域が表示画面Ｄとして機能している。液晶表示装置１３の前面に位置する前記カバーパネル１５は、前方枠面１６ａよりも後方（Ｙ２方向）へ離れて位置している。
【００３２】
枠形成部材１６には、側板１６ｃが設けられている。側板１６ｃは、前方枠面１６ａの上下左右の４辺の縁部から後方（Ｙ２方向）に向けて直角に折り曲げられている。側板１６ｃは、パネル本体１１のＺ１側に向く上部とＺ２側に向く下部、およびＸ１側に向く右部とＸ２側に向く左部とやや距離を空けて対向している。そして、枠形成部材１６とパネル本体１１のパネルケース１２とが図６に示す固定部１６ｄによって、互いに固定されている。
【００３３】
上記構造の表示パネル１０では、図４と図６に示すように、表示パネル１０の前部１０ａが前方枠面１６ａで構成され、表示パネル１０の背部１０ｂがパネルケース１２で構成されている。図４に示される表示パネル１０の上部１０ｃと、図３に示される表示パネル１０の底部１０ｄが、枠形成部材１６の側板１６ｃで構成されている。また、表示パネル１０の右側部１０ｅと左側部１０ｆも、前記側板１６ｃで構成されている。
【００３４】
図１と図２に示すように、前部筐体２に、前方（Ｙ１方向）に向けられる枠部２１が形成されている。枠部２１は、上側枠部２１ａと下側枠部２１ｂならびに右側枠部２１ｃと左側枠部２１ｄを有している。前部筐体２には、上側枠部２１ａと下側枠部２１ｂならびに右側枠部２１ｃと左側枠部２１ｄのそれぞれの縁部で囲まれた窓部２２が形成されている。
【００３５】
図４と図６に示すように、窓部２２の開口面積は、枠形成部材１６の窓縁部１６ｂで囲まれた表示画面Ｄよりも広くなっており、窓部２２の内側に窓縁部１６ｂが現れている。
【００３６】
図１と図２に示すように、前部筐体２の上側枠部２１ａの１箇所に上側支持突起２３ａが一体に形成され、右側枠部２１ｃの１箇所に右側支持突起２３ｂが一体に形成され、左側枠部２１ｄの１箇所に左側支持突起２３ｃが一体に形成されている。図４に示すように、上側支持突起２３ａは、プレス工程によって、上側枠部２１ａの一部を後方（Ｙ２方向）へ変形して形成されたものであり、上側支持突起２３ａの後方（Ｙ２方向）に向く表面は突曲面形状である。図６に示すように、右側支持突起２３ｂと左側支持突起２３ｃは、右側枠部２１ｃと左側枠部２１ｄの一部が後方（Ｙ２方向）へ変形して形成されたものであり、右側支持突起２３ｂと左側支持突起２３ｃの後方（Ｙ２方向）に向く表面は突曲面形状である。
【００３７】
図４に示すように、表示パネル１０の前部１０ａに現れている枠形成部材１６の前方枠面１６ａが、上側支持突起２３ａの頂部に当接している。表示パネル１０の背部１０ｂと後部筐体３との間に、上側背部弾性部材２４ａが配置されている。上側背部弾性部材２４ａは、上側支持突起２３ａのほぼ真後ろに位置している。表示パネル１０は、上側背部弾性部材２４ａによって前方（Ｙ１方向）へ付勢されて、前方枠面１６ａが上側支持突起２３ａの頂部に押し付けられている。
【００３８】
図６に示すように、表示パネル１０の前部１０ａに位置する前方枠面１６ａが、右側支持突起２３ｂの頂部と左側支持突起２３ｃの頂部に当接している。表示パネル１０の背部１０ｂと後部筐体３との間に右側背部弾性部材２４ｂと左側背部弾性部材２４ｃが介在している。右側背部弾性部材２４ｂは右側支持突起２３ｂのほぼ真後ろに位置し、表示パネル１０が前方へ付勢されて、前方枠面１６ａが右側支持突起２３ｂに押し付けられている。左側背部弾性部材２４ｃは左側支持突起２３ｃのほぼ真後ろに位置し、表示パネル１０が前方へ付勢されて、前方枠面１６ａが左側支持突起２３ｃに押し付けられている。
【００３９】
図２では、上側支持突起２３ａと前方枠面１６ａとの当接部が支持点（ａ）、右側支持突起２３ｂと前方枠面１６ａとの当接点が支持点（ｂ）、左側支持突起２３ｃと前方枠面１６ａとの当接点が支持点（ｃ）で示されている。
【００４０】
表示パネル１０の前部１０ａは、前部筐体２に対して支持点（ａ）（ｂ）（ｃ）の三点で支持されている。上側の支持点（ａ）は、表示パネル１０のＸ方向の幅寸法をほぼ二分する位置に配置されている。右側の支持点（ｂ）は、前部筐体２の枠部２１の下側枠部２１ｂと右側枠部２１ｃとの角部よりも上方（Ｚ１方向）に位置し、且つ窓部２２ならびに表示画面Ｄの右側方に位置している。また、左側の支持点（ｃ）は、前部筐体２の枠部２１の下側枠部２１ｂと左側枠部２１ｄとの角部よりも上方（Ｚ１方向）に位置し、且つ窓部２２ならびに表示画面Ｄの左側方に位置している。
【００４１】
すなわち、右側の支持点（ｂ）は、表示パネル１０の底部１０ｄと右側部１０ｅとの角部よりも上方（Ｚ１方向）に位置し、左側の支持点（ｃ）は、底部１０ｄと左側部１０ｆとの角部よりも上方に位置している。
【００４２】
右側の支持点（ｂ）と左側の支持点（ｃ）が、表示パネル１０の左右下側の角部よりも上方に位置しているため、支持点（ａ）（ｂ）（ｃ）を結ぶ仮想三角形Ｔの重心Ｇを、表示パネル１０の前部１０ａの四角形の中心すなわち表示パネル１０の重心に近づけることができる。支持点（ａ）（ｂ）（ｃ）において、背部弾性部材２４ａ，２４ｂ，２４ｃが表示パネル１０を前方へ押圧する力を均一にしておけば、表示パネル１０に対するＹ１方向への押圧力の作用中心を表示パネル１０の重心に近づけることができる。その結果、支持点（ａ）（ｂ）（ｃ）における支持突起２３ａ，２３ｂ，２３ｃと表示パネル１０の前部１０ａとの当接力を均一化することが可能になる。
【００４３】
以上から、支持点（ｂ）（ｃ）の位置を図２よりもさらに上方に設置して、仮想三角形Ｔの重心Ｇを、表示パネル１０の前部１０ａの中心（重心）に一致させ、またはほぼ一致させることがさらに好ましい。
【００４４】
図３と図５に示すように、前部筐体２には、枠部２１の下部において後方（Ｙ２方向）に向けて直角に折り曲げられた下部折曲げ部２５ａが形成されており、この下部折曲げ部２５ａの右側（Ｘ１側）に、右側底部支持突起２６ａが一体に形成されている。右側底部支持突起２６ａは、上側（Ｚ１側）に向けられる表面が突曲面形状である。表示パネル１０の底部１０ｄは、右側底部支持突起２６ａの頂部に当接している。図５に示すように、右側底部支持突起２６ａによる支持点である底部支持点（ｄ）は、右側支持突起２３ｂによる支持点（ｂ）の下側に位置している。
【００４５】
図示省略しているが、下部折曲げ部２５ａの左側（Ｘ２側）にも左側底部支持突起２６ｂが形成され、表示パネル１０の底部１０ｄが左側底部支持突起２６ｂの頂部に当接している。そして、その当接部は、左側支持突起２３ｃによる支持点（ｃ）の下側に位置している。
【００４６】
図４に示すように、前部筐体２の上部には、上部折曲げ部２５ｂが枠部２１から後方へ向けて直角に折り曲げられている。前記支持点（ａ）の真上の位置において、表示パネル１０の上部１０ｃと上部折曲げ部２５ｂとの間に上部弾性部材２７が設けられている。上部弾性部材２７の下向きの付勢力により、表示パネル１０の底部１０ｄが、右側底部支持突起２６ａと左側底部支持突起２６ｂに押圧されている。
【００４７】
図５では、右側支持突起２３ｂによる支持点（ｂ）と右側底部支持突起２６ａによる底部支持点（ｄ）とを結ぶ線が仮想線Ｌ１で示されている。この仮想線Ｌ１が、前部筐体２の枠部２１に開口する窓部２２の縁に接する境界線Ｌａよりも窓部２２の内部にはみ出さないように、底部支持点（ｄ）が幅寸法Ｗａの範囲内に配置されることが好ましい。または、前記仮想線Ｌ１が、表示パネル１０の前方に設けられた前方枠面１６ａの窓縁部１６ｂよりも表示画面Ｄ側へはみ出さないように、底部支持点（ｄ）が配置されることが好ましい。支持点（ｂ）と底部支持点（ｄ）とを結ぶ仮想線Ｌ１が、枠部２１または前方枠面１６ａから外れない構造であると、支持点（ｂ）と底部支持点（ｄ）との間の支持力のアンバランスやモーメントによって、表示パネル１０の右下角部に応力が作用したとしても、その応力が、表示画面Ｄの範囲まで及ぶのを制限することが可能になる。
【００４８】
また、左側底部支持突起２６ｂと表示パネル１０の底部１０ｄとの当接点と、左側の支持点（ｃ）との位置関係は、前記支持点（ｂ）と底部支持点（ｄ）との位置関係と同じである。
【００４９】
図６に示すように、後部筐体３には、左側（Ｘ２側）に側部支持突起３１が一体に形成されている。側部支持突起３１は右側（Ｘ１側）に向く表面が突曲面形状であり、表示パネル１０の左側部１０ｆが、側部支持突起３１の頂部に当接している。図６に示すように、表示パネル１０の右側部１０ｅと後部筐体３との間に、側部弾性部材２８が設けられている。側部弾性部材２８により表示パネル１０が左方向（Ｘ２方向）へ付勢されて、表示パネル１０の左側部１０ｆが側部支持突起３１に押圧されている。
【００５０】
側部支持突起３１と表示パネル１０の左側部１０ｆとが当接している側部支持点（ｅ）は、図２に示す２つの支持点（ｂ）（ｃ）を結ぶ横方向仮想線Ｌ２の上に位置している。また、側部弾性部材２８も横方向仮想線Ｌ２の上に位置している。
【００５１】
側部支持点（ｅ）が、支持点（ｂ）（ｃ）を結ぶ横方向仮想線Ｌ２上に位置しているために、支持点（ｂ）（ｃ）上で支持突起２３ｂ，２３ｃから表示パネル１０に与えられる支持圧力と、側部支持点（ｅ）上で側部支持突起３１から表示パネル１０に与えられる支持圧力との間に大きなモーメントが作用しなくなる。よって、表示パネル１０に支持圧力による曲げ応力が作用しにくく、表示パネル１０に歪が与えられにくくなっている。
【００５２】
前記背部弾性部材２４ａ，２４ｂ，２４ｃと上部弾性部材２７ならびに側部弾性部材２８は、合成ゴム、発泡ゴム、発泡樹脂などの体積変化により弾性力を発生できる素材で形成されている。
【００５３】
前記構成の表示装置１では、表示パネル１０の前部１０ａが、３箇所の支持突起２３ａ，２３ｂ，２３ｃで支持され、表示パネル１０の底部１０ｄが２箇所の底部支持突起２６ａ，２６ｂで支持され、表示パネル１０の左側部１０ｆが１箇所の側部支持突起３１で支持されている。表示パネル１０が３方向において支持突起により点支持されていることで、筐体２，３の内部で表示パネル１０がしっかりと保持され、また点支持のために、表示パネル１０に過大な支持応力が作用するのを防止できる。
【００５４】
図２に示すように、表示パネル１０の前部１０ａを支持する支持点（ａ）（ｂ）（ｃ）では、右下と左下の支持点（ｂ）（ｃ）を窓部の左右両側に位置させることで、支持点（ｂ）（ｃ）を表示パネル１０の右下と左下の角部よりも上方に配置させている。四角形の表示パネル１０に外力が作用したときに、その前後方向（Ｙ方向）の変位量は、４つの角部において最も大きくなる傾向がある。そこで、図２に示すように、支持点（ａ）（ｂ）（ｃ）を角部から外れた位置に配置することで、表示パネル１０の右上と左上の角部を自由状態にできるとともに、右下と左下の角部を自由状態にできる。これにより、表示パネル１０が変形しようとしたときに、各角部が過大に拘束されることがなく、角部を支持突起で支持したときのような過大な応力が表示パネル１０に作用するのを避けることができる。
【００５５】
すなわち、図５に示すように、表示パネル１０の右下と左下の角部では、底部１０ｄが底部支持突起２６ａ，２６ｂで支持されているだけであるため、この角部を前方から拘束する構造に比べて、右下と左下の角部の前後方向への自由度が損なわれない。よって、角部に過大な支持応力が作用するのを防止しやすい。
【００５６】
また、図２に示すように、３点の支持点（ａ）（ｂ）（ｃ）の仮想三角形Ｔの重心Ｇを表示パネル１０の重心に近づけることができるため、３点の支持点（ａ）（ｂ）（ｃ）から表示パネル１０に与えられる支持力を均一に設定することができる。
【００５７】
また、図５に示すように、支持点（ｂ）と底部支持点（ｄ）とを結ぶ仮想線Ｌ１が前方から見て枠部２１内、または前方枠面１６ａの内部に位置していることで、支持点（ｂ）によるＹ２方向への支持力と、底部支持点２６ａによるＺ１方向への支持力との間で、表示パネル１０に作用する過大なモーメントが発生するのを抑制できる。
【００５８】
さらに、支持点（ｂ）（ｃ）と、図６に示す側部支持点（ｅ）が横方向仮想線Ｌ２上に位置しているため、支持点（ｂ）（ｃ）によりＹ２方向への支持力と、側部支持点（ｅ）によるＸ１方向への支持力との間で、表示パネル１０に作用する過大なモーメントが発生するのを抑制できる。
【００５９】
上記のように各方向の支持点をなるべく分散しないように近接する位置で設けることで、表示パネル１０を安定して保持でき、しかも支持力の分散によって、表示パネル１０に過大な曲げ力や捩り力が作用するのを防止しやすくなる。
【００６０】
また、支持突起２３ａ，２３ｂ，２３ｃは、表示パネル１０に設けられた金属製の枠形成部材１６の前方枠面１６ａに当接し、底部支持突起２６ａ，２６ｂと側部支持突起３１が、枠形成部材１６の側板１６ｃに当接しているため、各支持突起の支持力が金属製の枠形成部材１６で受けられ、支持力が液晶表示装置１３の電極基板などに直接に作用することがない。
【００６１】
そのため、各支持点による支持力によって、液晶表示装置１３が変形しにくくなっている。
【００６２】
なお、本発明では、液晶表示装置１３の代わりにエレクトロクロミックなどを使用した他の表示装置を使用することも可能である。
【符号の説明】
【００６３】
１  表示装置
２  前部筐体
３  後部筐体
１０  表示パネル
１０ａ  表示パネルの前部
１０ｂ  表示パネルの背部
１０ｃ  表示パネルの上部
１０ｄ  表示パネルの底部
１０ｅ  表示パネルの右側部
１０ｆ  表示パネルの左側部
１１  パネル本体
１３  液晶表示装置
１６  枠形成部材
１６ａ  前方枠面
１６ｃ  側板
２１  枠部
２１ａ  上側枠部
２１ｂ  下側枠部
２１ｃ  右側枠部
２１ｄ  左側枠部
２２  窓部
２３ａ  上側支持突起
２３ｂ  右側支持突起
２３ｃ  左側支持突起
２４ａ  上側背部弾性部材
２４ｂ  右側背部弾性部材
２４ｃ  左側背部弾性部材
２６ａ  右側底部支持突起
２６ｂ  左側底部支持突起
２７  上部弾性部材
２８  側部弾性部材
３１  側部支持突起
Ｄ  表示画面
（ａ）（ｂ）（ｃ）  支持点
（ｄ）  底部支持点
（ｅ）  側部支持点
Ｇ  重心
Ｔ  仮想三角形
Ｌ１  仮想線
Ｌ２  横方向仮想線
【図１】
0005939628.tif 000002
【図２】
0005939628.tif 000003
【図３】
0005939628.tif 000004
【図４】
0005939628.tif 000005
【図５】
0005939628.tif 000006
【図６】
0005939628.tif 000007